【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  送信局と少なくとも一つの受信装置を有する無線電話システムにおいて、ここにおいて、該送信局はメッセージ情報を受信装置に送信するための少なくとも第１と第２のアンテナを有している、送信局から受信局にダイバーシティ送信を提供するための方法、該方法は下記を具備する：
（ａ）送信局の第１のアンテナから受信装置へメッセージ情報を送信する、
（ｂ）第１のアンテナから受信装置への該メッセージ情報の送信を終止し、送信局の第２アンテナから受信装置へ該メッセージ情報の送信を開始する、
（ｃ）工程（ｂ）の後で、第２のアンテナから受信装置への該メッセージ情報の送信を終止し、そして送信局内の第１のアンテナから受信装置への該メッセージ情報の送信を開始する、
（ｄ）工程(ｂ）と（ｃ）を規則的間隔で繰り返すことにより、第１と第２のアンテナ間で繰り返し切り替える、工程（ａ）と（ｃ）においてメッセージ情報は、第１の波形を使用して第１のアンテナから送信され、工程（ｂ）において該メッセージ情報は第２の波形を使用して第２のアンテナから送信され、第１の波形は第２の波形に直交している。
【請求項２】  該メッセージ情報は、符号分割多元アクセス（ＣＤＭＡ）変調を使用して第１と第２のアンテナから送信され、第１の波形は第１のウオルッシュ符号に相当し、第２の波形は第２のウオルッシュ符号に相当し、第１のウオルッシュ符号は第２のウオルッシュ符号に直交している、請求項１の方法。
【請求項３】  ＣＤＭＡチップレートは該ＣＤＭＡ変調に連携し(associated)、そして第１と第２のアンテナとの間の切替は該ＣＤＭＡチップレートよりも実質的に小さいレートで生起する、請求項２の方法。
【請求項４】  第１と第２のアンテナとの間の切替はＣＤＭＡ変調での各５１２チップ後に生起する、請求項３の方法。
【請求項５】  工程（ａ）は第１のアンテナ上でのみ送信局から受信装置へパイロット信号を送信することをさらに具備し、そして
工程（ｂ）は、（ｂ）第１のアンテナから受信装置へのパイロット信号とメッセージ情報の送信を終止し、送信局の第２のアンテナのみから受信装置へ該パイロット信号と該メッセージ情報の送信を開始する、を具備し、そして
工程(ｃ)は、（ｃ）工程（ｂ）の後で、第２のアンテナから受信装置へのパイロット信号とメッセージ情報の送信を終止し、そして送信局の第１のアンテナのみから受信装置への該パイロット信号と該メッセージ情報の送信を開始する、を具備する、
請求項３の方法。
【請求項６】  工程（ａ）は、第１のアンテナ上でのみ送信局から受信装置へ第１のパイロット信号を送信し、第２のアンテナ上でのみ送信局から受信装置へ第２のパイロット信号を送信する、ここにおいて、第１と第２のパイロット信号は、工程（ａ）−（ｄ）間で連続して第１と第２のアンテナから各々送信されるをさらに具備する、請求項１の方法。
【請求項７】  第１のアンテナから送信される第１のパイロット信号は第２のアンテナから送信される第２のパイロット信号に直交している、請求項６の方法。
【請求項８】  送信局と少なくとも一つの受信装置を有する無線電話システムにおいて、該送信局はメッセージ情報信号を受信装置に送信するための少なくとも第１と第２のアンテナを有しており、
（ａ）送信局内の第１のアンテナのみから受信装置へメッセージ情報を送信するための手段、
（ｂ）第１のアンテナから受信装置へのメッセージ情報の送信を終止し、送信局内の第２のアンテナから受信装置へメッセージ情報の送信を開始するための第１の手段、
（ｃ）第２のアンテナから受信装置へのメッセージ情報の送信を終止し、送信局内の第１のアンテナから受信装置へメッセージ情報の送信を開始するための第２の手段、及び
（ｄ）終止させるための第１の手段と終止させるための第２の手段を交互に作動させるための切替手段、ここにおいて、該メッセージ情報は第１の波形を有する第１のアンテナから送信され、該メッセージ情報は第２の波形を有する第２のアンテナから送信され、
そして、第１の波形は第２の波形に直交している、
を具備する、送信局から受信装置へダイバーシティ送信を供する装置。
【請求項９】  メッセージ情報が符号分割多元アクセス（ＣＤＭＡ）変調を使用して第１と第２のアンテナから送信され、第１の波形は第１のウオルッシュ符号に相当し、第２の波形は第２のウオルッシュ符号に相当し、第１のウオルッシュ符号は第２のウオルッシュ符号に直交している、請求項８の装置。
【請求項１０】  ＣＤＭＡチップレートがＣＤＭＡ変調に連携し、そして第１と第２のアンテナとの間の切り換えは、ＣＤＭＡチップレートよりも実質的に小さいレートで生起する、請求項９の装置。
【請求項１１】  下記を具備する通信装置、
ビット・ストリーム信号を形成するビット・ストリーム形成器、
符号シーケンスと、符号シーケンスの境界が生ずる時の情報を含む制御信号、とを形成する直交符号形成器、
ビット・ストリーム信号を符号シーケンスと結合して、複数の符号チャネルに対応する
複数の符号化された信号を形成するミキサー装置、
第１のアンテナ、
第２のアンテナ、及び
符号シーケンスの境界で発生する複数のスイッチング時間の一つの期間に符号化されたチャネルを交互に送信するように、制御信号に応えて、第１と第２のアンテナとの間で符号化されたチャネルを切り換える少なくとも一つのスイッチ。
【請求項１２】  少なくとも一つのスイッチが符号シーケンスの境界で交互に切り替わって、符号化されたチャネルの直交性を維持するように、スイッチの切り換え期間が符号化されたシーケンスの期間の整数倍である、請求項１１に記載の装置。
【請求項１３】  直交符号がウオルッシュ符号であり、
スイッチが第２のアンテナに切り替わる前に、完全なウオルッシュ符号が第１のアンテナから送信されるように、少なくとも一つのスイッチは、制御信号に応答して、ウオルッシュ符号の境界で第１のアンテナから第２のアンテナに符号化されたチャネルを切り換える、請求項１１に記載の装置。
【請求項１４】  前記少なくとも一つのスイッチは、前記第１と第２のアンテナ間でパイロットとトラフィック信号を交互に切り換える、請求項１１の装置。
【請求項１５】  前記少なくとも一つのスイッチは、前記第１と第２のアンテナ間でトラフィック信号を交互に切り換え、そしてパイロット信号を前記第１と第２のアンテナに連続して向ける、請求項１１の装置。
【請求項１６】  符号化信号を形成するための直交符号形成器とビット・ストリーム信号形成器とに接続された少なくとも一つのミキサーをさらに具備する、請求項１２に記載の装置。
【請求項１７】  前記少なくとも一つのミキサーは同相（Ｉ）符号化信号と直角（Ｑ）符号化信号を形成するための二つのミキサーを具備する、請求項１６の装置、
【請求項１８】  前記少なくとも一つのミキサーと前記少なくとも一つのスイッチとの間に接続された少なくとも一つのフイルタをさらに具備する、請求項１６に記載の装置。
【請求項１９】  ビット・ストリーム信号形成器は、ビット・ストリーム信号中のメッセージ記号中にパワー制御記号をパンクチャーするパンクチャリング装置、を具備する請求項１１に記載の装置。
【請求項２０】  ビット・ストリーム信号形成器は、二つの信号路上に同相（Ｉ）と直角（Ｑ）のビット・ストリーム信号を形成する形成装置を、さらに具備する請求項１９に記載の装置。
【請求項２１】  ビット・ストリーム信号形成器は、インターリーブされたデータのブロックを形成するブロックインターリーバーをさらに具備する、請求項１２に記載の装置。
【請求項２２】  ビット・ストリーム信号形成器は、エラー修正がデータブロックを形成するために、符号化された信号を符号化するエラー修正符号器を、さらに具備する請求項１２に記載の装置。
【請求項２３】  エラー修正符号器は、ビタビ符号器を具備する、請求項２２に記載の装置。
【請求項２４】  ビット・ストリーム信号形成器は、エラー修正符号器の終端を符号化された信号に加えるための手段をさらに具備する、請求項２２に記載の装置。
【請求項２５】  ビット・ストリーム信号形成器は、入力ビットストリーム中のエラーを検知するエラー検知器をさらに具備する請求項２４に記載の装置。
【請求項２６】  エラー検知器は、入力ビットストリーム上で周期的冗長チェック（ＣＲＣ）を実行することにより、入力ビット・ストリーム中のエラーを検知する、請求項２５に記載の装置。
【請求項２７】  直交符号はウオルッシュ符号である、請求項１１に記載の装置。